(57)【要約】      （修正有）【課題】患者が一人で容易に治療に適した経穴の位置を特定して、簡単に鍼を刺入できる鍼灸用具を提供する。また、鍼灸用具の部品である外殻の製造方法を提供する。【解決手段】鍼灸用具１００は、外殻１と身体に鍼を刺入するための鍼器を備えている。外殻１は、本体１０および本体１０に取り付けられたガイドおよび面テープ１４を有している。本体１０は身体に密着した状態で使用するものであり、身体に沿った形状を有する薄肉断面の部材である。本体１０には３個の目印１３が付されている。それぞれの目印１３は骨が突起した部分の頂部に一致する位置に付されている。本体１０は身体の経穴に一致する複数の鍼穴１１が設けられている。本体１０の鍼穴１１の位置に、鍼器をスライド自在に固定するガイドが固定されている。鍼器をガイドに固定して鍼体を自分自身の手で押圧することで、鍼先が経穴にスムーズに刺入される。【選択図】図１
2020182671.tif 000002
【特許請求の範囲】
【請求項１】
身体の外形に沿った形状を有し、密着した状態で前記身体の一部分を覆う外殻を備え、
前記外殻を前記身体に密着させたとき、前記身体の経穴の位置に、鍼を通すための鍼穴が前記外殻に設けられることを特徴とする鍼灸用具。
【請求項２】
前記外殻は、前記鍼穴の位置に、鍼先を刺入するための鍼器がスライド自在に固定されるガイドを有することを特徴とする請求項１に記載の鍼灸用具。
【請求項３】
前記鍼器は、前記ガイドにスライド自在に固定される外筒と、前記外筒に内挿される鍼体とを有することを特徴とする請求項２に記載の鍼灸用具。
【請求項４】
前記外殻は、前記身体に固定するための固定手段を有することを特徴とする請求項１〜３のいずれか１項に記載の鍼灸用具。
【請求項５】
前記外殻は、前記身体の特定箇所と一致する目印が設けられることを特徴とする請求項１〜４のいずれか１項に記載の鍼灸用具。
【請求項６】
前記目印は、３箇所以上設けられることを特徴とする請求項５に記載の鍼灸用具。
【請求項７】
治療に用いる経穴を特定して、身体にマークを付すマーキング工程と、
前記マーキング工程で付された前記マークを包含する身体の一部を、前記マークとともに３次元座標データ化する座標生成工程と、
前記座標生成工程で得られたデータに基づき、身体の外形に沿った形状を有し、密着した状態で身体の一部分を覆う本体を作製する本体作成工程と、を備えることを特徴とする鍼灸用具の部品である外殻の製造方法。
【発明の詳細な説明】
【技術分野】
【０００１】
本発明は、鍼治療に用いる鍼灸用具、および鍼灸用具の部品である外殻の製造方法に関する。
【背景技術】
【０００２】
鍼治療は、経穴に機械的な刺激を与え、病気を治療するものであり、肩こり、ひざの痛み、腰痛対策として多く用いられている。これに限らず、様々な症状に対して、治療効果が認められている。例えば、ストレスからくる自律神経の乱れ、食欲不振、疲れやすいといった症状である。また、世界保健機構でも、その効果が認められており、 スポーツの現場、例えば野球、サッカー、水泳、バレー、バスケットボール、陸上、およびラグビー等の幅広い競技で取り入れられている。
【０００３】
スポーツ鍼灸は、主にアマチュアやプロのスポーツ選手を対象としてスポーツ障害の治療やケガの予防、コンディションを整えるために行われている。鍼治療により、血流が良くなる事によってケガをしにくくなり、それがパフォーマンスアップにつながっている。
【０００４】
肩や腰、膝など競技によって施術箇所はさまざまであるが、突発的なケガへの対応にも用いられている。また、スポーツ選手各個人の体調管理についても有効性が認められている。そのため、それぞれの選手にあわせた特別仕様の治療が重要となる。
【０００５】
治療効果の高さから、専属のスポーツ鍼灸師をツアー競技に同伴させるプロスポーツ選手やプロスポーツチームも存在する。しかし、これをできるのは、一握りのトッププレーヤー等であり、大部分のプロスポーツ選手やアマチュアのスポーツ選手は、費用の関係でスポーツ鍼灸師のツアー競技への同伴は不可能である。
【０００６】
仮に、ツアー競技が開催される場所でスポーツ鍼灸師が営業していて、治療を受けられたとしても、選手個々人の身体の状況を短期間で適切に把握することは困難であり、高い治療効果は望めない。
【０００７】
スポーツ鍼灸に限らず、鍼治療は、体が本来持っている自然治癒力を高めることで、体質を改善させて、症状を和らげるものである。従って、１回の治療ですぐ治るというような速攻効果が期待できるものではなく、継続的な治療で徐々に治療効果が高まる。しかし、多忙の中、定期的に鍼治療を受けるのは、時間の制約があり困難であることが多い。仮に、時間が確保できたとしても、希望した時間に治療の予約が確保できるかは定かではない。
【先行技術文献】
【特許文献】
【０００８】
【特許文献１】特開２００２−２００１３９号公報
【特許文献２】特開平８−３３２２１０号公報
【発明の概要】
【発明が解決しようとする課題】
【０００９】
このような状況下、スポーツ選手等の患者が、人の手を借りず、自分自身で鍼治療を行うことができれば好都合である。しかし、治療の都度、症状に応じた適切な経穴の位置を探し出す必要があり、この経穴の位置を探し出すことは難しい。仮に、経穴の位置が特定できたとしても、自分自身で、鍼先を経穴に正確に刺入することは難しい。
【００１０】
本発明は、上記の問題を解決するためのもので、スポーツ選手等の患者が一人で容易に、治療に適した経穴の位置を特定できるとともに、簡単に鍼を刺入できる鍼灸用具を提供するものである。また、鍼灸用具の部品である外殻の製造方法を提供するものである。
【課題を解決するための手段】
【００１１】
上記課題を解決するために、請求項１に係る発明は、鍼灸用具であって、身体の外形に沿った形状を有し、密着した状態で身体の一部分を覆う外殻を備え、外殻を身体に密着させたとき、身体の経穴の位置に、鍼を通すための鍼穴が外殻に設けられることを特徴とする。
【００１２】
この構成によれば、外殻を個々人の身体に密着したとき、外殻に設けられた鍼穴の位置と身体の経穴の位置が一致するので、経穴の位置を容易に特定できる。
【００１３】
請求項２に係る発明は、請求項１に記載の鍼灸用具において、外殻は、鍼穴の位置に、鍼先を刺入するための鍼器がスライド自在に固定されるガイドを有することを特徴とする。
【００１４】
この構成によれば、外殻は、鍼穴の位置に、鍼先を刺入するための鍼器がスライド自在に固定されるガイドを有するので、鍼器をガイドに固定した状態で、自分自身の両手を自由に使って鍼先を刺入できる。これにより、鍼を簡単に、かつ正確に経穴に刺入できる。
【００１５】
請求項３に係る発明は、請求項２に記載の鍼灸用具において、鍼器は、ガイドにスライド自在に固定される外筒と、外筒に内挿される鍼体とを有することを特徴とする。
【００１６】
この構成によれば、鍼器は、ガイドにスライド自在に固定される外筒と、外筒に内挿される鍼体とを有するので、外筒に沿って鍼体を移動することで、鍼先を正確に刺入できる。
【００１７】
請求項４に係る発明は、請求項１〜３のいずれか１項に記載の鍼灸用具において、外殻は、身体に固定するための固定手段を有することを特徴とする。
【００１８】
この構成によれば、外殻は、身体に固定するための固定手段を有するので、外殻を確実に身体に固定できる。
【００１９】
請求項５に係る発明は、請求項１〜４のいずれか１項に記載の鍼灸用具において、外殻は、身体の特定箇所と一致する目印が設けられることを特徴とする。
【００２０】
この構成によれば、外殻は、身体の特定箇所と一致する目印が設けられるので、目印を身体の特定箇所に一致させることで、外殻を身体に容易に密着できる。
【００２１】
請求項６に係る発明は、請求項５に記載の鍼灸用具において、目印は、３箇所以上設けられることを特徴とする。
【００２２】
この構成によれば、目印は、３箇所以上設けられるので、３箇所以上の目印を身体の特定箇所に一致させることで、一義的に身体に密着する外殻の位置を特定できる。そのため、外殻を正確に、かつ容易に身体に密着できる。
【００２３】
請求項７に係る発明は、鍼灸用具の部品である外殻の製造方法であって、治療に用いる経穴を特定して、身体にマークを付すマーキング工程と、マーキング工程で付されたマークを包含する身体の一部を、マークとともに３次元座標データ化する座標生成工程と、座標生成工程で得られたデータに基づき、身体の外形に沿った形状を有し、密着した状態で身体の一部分を覆う本体を作製する本体作製工程とを備えることを特徴とする。
【００２４】
この構成によれば、鍼灸用具の製造方法は、治療に用いる経穴を特定して、身体にマークを付すマーキング工程と、マーキング工程で付されたマークを包含する身体の一部を、マークとともに３次元座標データ化する座標生成工程と、座標生成工程で得られたデータに基づき、身体の外形に沿った形状を有し、密着した状態で身体の一部分を覆う本体を作製する本体作製工程とを備えるので、個々人の治療に好適なオーダーメイドの外殻を簡単に作製できる。また、３次元座標データを保存しておくことで、様々な用途に応じた外殻を自由に作製できる。
【図面の簡単な説明】
【００２５】
【図１】膝から脛にかけて身体に密着する外殻の斜視図である。ただし、ガイドは省略してある。
【図２】（ａ）は、鍼器の斜視図であり、（ｂ）は、ガイドの斜視図である。
【図３】鍼器をガイドにスライドして固定した状態を説明する正面断面図である。
【図４】膝から脛にかけての経穴を説明する斜視図である。
【発明を実施するための形態】
【００２６】
本発明の実施形態について、図面を参照して説明する。
【００２７】
本発明の実施形態における鍼灸用具１００は、図１に示す外殻１、および図２（ａ）に示す鍼器２を有する。図１に示す通り、外殻１は、本体１０、本体１０の鍼穴１１の位置に取り付けられたガイド１２（図２（ｂ）、図３参照）、および面テープ１４（固定手段）を有している。
【００２８】
本体１０は、身体に密着した状態で使用するものであり、身体に沿った形状を有する薄肉断面の部材である。本実施形態では、膝から脛にかけて密着する部材としているが、使用部位は問わない。すなわち、腹部、大腿部、肩部、または腰部等の身体の一部であって、自分自身で刺入できる部位であればどこでもよい。本体１０の材質としては、身体に沿った形状が保持できるとともに、可撓性を具備するものが好ましい。例えば、布材のように伸縮することによって身体に沿う形状となるものは、本発明では想定していない。
【００２９】
本体１０の対向する端部に、３組の面テープ１４（固定手段）が取り付けられている。各組の面テープ１４を互いに接着することで、本体１０を身体に固定できる。本実施形態では、固定手段として面テープ１４を用いているが、ボタン状留め具、ループ状留め具、フック状留め具、およびファスナー等を用いてもよい。
【００３０】
本体１０には、３個の目印１３が付されている。それぞれの目印１３は、具体的には、脛骨の上端部に位置する突起した部分の頂部、脛骨の下端部に位置する内くるぶしの頂部、腓骨の下端部に位置する外くるぶしの頂部と一致する位置に付されている。３個の目印１３を、上述した脛骨の上端部に位置する突起した部分の頂部、脛骨の下端部に位置する内くるぶしの頂部、腓骨の下端部に位置する外くるぶしの頂部に一致させることで、外殻１の位置は一義的に特定される。これにより、外殻１を身体に容易に密着できる。本実施形態では、特徴的な部分、すなわち身体の突起した部分に対応する位置に目印１３を付したが、これによらず、身体に円形のシート等を張り付けて、それに対応する位置に目印１３を付してもよい。また目印１３は、１個でも２個でもよく、４個以上であっても良い。
【００３１】
目印１３を付した範囲については、透明、または半透明であることが好ましい。この部分の身体が視認できることで、目印１３の位置合わせが容易となるからである。また、目印１３を付していない範囲については着色されていてもよいし、透明であってもよい。
【００３２】
本体１０は、複数の鍼穴１１が設けられている。鍼穴１１は、鍼器２の鍼先２５を通すためのものであり、外殻１を身体に密着させたとき、身体の経穴の位置に一致する。図４では、膝から脛にかけての経穴を例示しているが、この部分には、数多くの経穴が存在する。具体的には、足三里５０ａ、陽陵泉５０ｂ、豊隆５０ｃ、懸鐘５０ｄ、崑崙５０ｅ、太谿５０ｆ、三陰交５０ｇ、築賓５０ｈ、中都５０ｉ、内膝眼５０ｊ、曲泉５０ｋ等である。鍼穴１１は、上述した経穴の中から、症状、例えば、腰痛、膝痛、疲労等に応じて、鍼灸師の助言を受けて選択することが好ましい。なお、上述した経穴は例示でありこれ以外の経穴を選択してもよいことはもちろんである。
【００３３】
ガイド１２は、本体１０の鍼穴１１の位置に固定されている。図２（ｂ）に示す通り、ガイド１２は円筒形状の部材であり、内径を円筒形状の外筒２１の外径より若干大きく設定することで、外筒２１をスライド自在に固定できる。
【００３４】
図２（ａ）に示す通り、鍼器２は、外筒２１、および鍼体２２を有している。外筒２１は、円筒形状の部材であり鍼体２２を内挿できる。また、外径はガイド１２の内径より若干小さくなるように設定されている。これにより、ガイド１２にスライド自在に固定される。
【００３５】
鍼体２２は、頭部２３、および鍼部２４を有している。頭部２３は円柱形状であり、外径は外筒２１の内径より若干小さく設定されている。頭部２３の端部に鍼部２４が取り付けられている。鍼部２４は、頭部２３の外径よりも小さい円柱形の部材であり先端部は先細り形状の鍼先２５が設けられている。これにより、鍼体２２は、外筒２１に内挿可能となる。
【００３６】
ガイド１２に外筒２１を固定して、内挿された鍼体２２を押圧すると、鍼体２２は円筒形の外筒２１の中心軸に沿って円滑にスライドして、鍼先２５は身体に刺入される。
【００３７】
鍼体２２は、刺入により鍼先２５が摩耗してくるので、刺入が円滑に行えなくなり、また刺入の際、痛みを感じるようになる。そのため、その都度、交換して使用することが好ましい。本実施形態では、使用済みの鍼体２２を、新しい鍼体２２に交換して、簡単に外筒２１に内挿できる構造となっている。
【００３８】
鍼治療では、刺入の際の押圧力、刺入深さが治療効果に大きく影響する。また、これらが適切でないと、刺入時に痛みを感じることもある。すなわち、刺入はデリケートなものであり一定の再現性、および精度が要求されるので、可能な限り刺入し易い状況下で行うことが好ましい。本実施形態では、外筒２１に鍼体２２を内挿した状態で、外筒２１をガイド１２に挿入・スライドして固定することで、両手は自由に使える状態となる。自由に使える両手を使って、鍼体２２を所定の力で押し込むことで、鍼先２５は経穴に所定の押圧力で正確に、かつ容易に刺入される。
【００３９】
外殻１の製造方法について説明する。
【００４０】
外殻１の製造工程は、マーキング工程、座標生成工程、および本体作製工程等を備える。
【００４１】
マーキング工程は、治療に用いる経穴を特定して、身体にマークを付す工程である。対象者の症状、具体的には腰痛、肩こり、体調不良、内臓疾患等に合わせて、鍼灸師等の専門家のアドバイスを受けて、鍼治療に用いる経穴を特定して、身体にマーキングする。経穴は、自分自身で刺入できる範囲で特定する。
【００４２】
座標生成工程は、マーキング工程で付されたマークを包含する身体の一部を、３次元スキャナーで読み取りマークとともに三次元座標データ化する工程である。３次元座標データは、記憶媒体に格納することが好ましい。これにより、様々な外殻を作製できる。例えば、外殻１を携帯したいときは、分割した複数のパーツとすればよいし、使用頻度が多くなることが想定されるときは、耐久性を向上させるために本体１０を厚肉断面とすればよい。
【００４３】
本体作製工程では、３次元座標データに基づき、３次元ＣＡＤソフトを利用して本体１０をモデル化し、３次元ＣＡＤデータを作成する。モデル化については、使用状況に応じて、本体１０の厚さ、鍼穴１１の大きさ、目印１３の位置、および面テープ１４の取り付け位置等を適宜定める。その後、このデータを３次元プリンターで読み込むことで、本体１０を造形する。３次元プリンターで使用する材料は、形状が保持されて、可撓性を具備する材料が好ましい。具体的には、ＡＢＳ樹脂、ＰＬＡ樹脂、ポリプロピレンライク樹脂、ＡＢＳライク樹脂、ナイロンライク樹脂、ゴムライク樹脂等の樹脂素材であることが好ましい。
【００４４】
必要に応じて、本体１０の周りに付着したサポート材を除去する。また、身体と密着する部分については磨き加工することが好ましい。これにより、本体１０を身体に密着させたとき、ザラザラ感がなくなり、心地よい感触が得られる。
【００４５】
本体１０に設けられた鍼穴１１にガイド１２を取り付けるとともに、本体の両端部に面テープ１４を取り付けて外殻１は完成する。
【産業上の利用可能性】
【００４６】
本発明は、個々人の身体、および症状に合わせたオーダーメイドの鍼灸用具とすることで、効果の高い鍼治療を、自分自身で簡単にできる。また、携帯できる大きさに分割して作製することで、どこでも、いつ何時でも鍼治療が可能となることから、産業上の利用可能性は大である。
【符号の説明】
【００４７】
１００  ：鍼灸用具
１      ：外殻
２      ：鍼器
１０    ：本体
１１    ：鍼穴
１２    ：ガイド
１３    ：目印
１４    ：面テープ（固定手段）
２１    ：外筒
２２    ：鍼体
【図１】
2020182671.tif 000003
【図２】
2020182671.tif 000004
【図３】
2020182671.tif 000005
【図４】
2020182671.tif 000006
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
身体の外形に沿った形状を有し、密着した状態で前記身体の一部分を覆う外殻を備え、
前記外殻は、前記身体の突起した部分の頂部と一致する３個以上の目印が設けられ、
前記目印を前記頂部と一致させて前記外殻を前記身体に密着させたとき、前記身体の経穴の位置に、鍼を通すための鍼穴が前記外殻に設けられることを特徴とする鍼灸用具。
【請求項２】
前記外殻は、前記鍼穴の位置に、鍼先を刺入するための鍼器がスライド自在に固定されるガイドを有することを特徴とする請求項１に記載の鍼灸用具。
【請求項３】
前記鍼器は、前記ガイドにスライド自在に固定される外筒と、前記外筒に内挿される鍼体とを有することを特徴とする請求項２に記載の鍼灸用具。
【請求項４】
前記外殻は、前記身体に固定するための固定手段を有することを特徴とする請求項１〜３のいずれか１項に記載の鍼灸用具。
【請求項５】
身体の外形に沿った形状を有し、密着した状態で前記身体の一部分を覆う外殻を備え、前記外殻は、前記身体の突起した部分の頂部と一致する３個以上の目印が設けられ、前記目印を前記頂部と一致させて前記外殻を前記身体に密着させたとき、前記身体の経穴の位置に、鍼を通すための鍼穴が前記外殻に設けられることを特徴とする鍼灸用具の部品である外殻の製造方法であって、
治療に用いる経穴を特定して、前記身体にマークを付すマーキング工程と、
前記マーキング工程で付された前記マークを包含する前記身体の一部を、前記マークとともに３次元座標データ化する座標生成工程と、
前記座標生成工程で得られたデータに基づき、前記身体の外形に沿った形状を有し、密着した状態で身体の一部分を覆う本体を作製して、前記目印を付す本体作成工程と、を備えることを特徴とする鍼灸用具の部品である外殻の製造方法。
【手続補正２】
【補正対象書類名】明細書
【補正対象項目名】００１１
【補正方法】変更
【補正の内容】
【００１１】
上記課題を解決するために、請求項１に係る発明は、鍼灸用具であって、身体の外形に沿った形状を有し、密着した状態で身体の一部分を覆う外殻を備え、外殻は、身体の突起した部分の頂部と一致する３個以上の目印が設けられ、目印を頂部と一致させて外殻を身体に密着させたとき、身体の経穴の位置に、鍼を通すための鍼穴が外殻に設けられることを特徴とする。
【手続補正３】
【補正対象書類名】明細書
【補正対象項目名】００１２
【補正方法】変更
【補正の内容】
【００１２】
この構成によれば、外殻を個々人の身体に密着したとき、外殻に設けられた鍼穴の位置と身体の経穴の位置が一致するので、経穴の位置を容易に特定できる。
また、この構成によれば、身体の突起した部分の頂部と一致する３個以上の目印が外殻に設けられるので、３箇所以上の目印を身体の突起した部分の頂部と一致させることで、一義的に身体に密着する外殻の位置を特定できる。そのため、外殻を正確に、かつ容易に身体に密着できる。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
請求項５に係る発明は、身体の外形に沿った形状を有し、密着した状態で身体の一部分を覆う外殻を備え、外殻は、身体の突起した部分の頂部と一致する３個以上の目印が設けられ、目印を頂部と一致させて外殻を身体に密着させたとき、身体の経穴の位置に、鍼を通すための鍼穴が外殻に設けられることを特徴とする鍼灸用具の部品である外殻の製造方法であって、治療に用いる経穴を特定して、身体にマークを付すマーキング工程と、マーキング工程で付されたマークを包含する身体の一部を、マークとともに３次元座標データ化する座標生成工程と、座標生成工程で得られたデータに基づき、身体の外形に沿った形状を有し、密着した状態で身体の一部分を覆う本体を作製して、目印を付す本体作成工程と、を備えることを特徴とする。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
着装者自身が鍼を刺入できるスポーツ鍼灸用の鍼灸用具であって、
身体の外形に沿った形状を有し、密着した状態で前記身体の一部分を覆う外殻を備え、
前記外殻は、前記身体の突起した部分の頂部と一致する３個以上の目印が付され、
前記目印が付された範囲は、透明、または半透明であり、
前記目印を前記頂部と一致させて前記外殻を前記身体に密着させたとき、前記身体の経穴の位置に、鍼を通すための鍼穴が前記外殻に設けられ、
前記外殻は、前記身体に固定するための固定手段が取り付けられることを特徴とする鍼灸用具。
【請求項２】
前記外殻は、前記鍼穴の位置に、鍼先を刺入するための鍼器がスライド自在に固定されるガイドを有することを特徴とする請求項１に記載の鍼灸用具。
【請求項３】
前記鍼器は、前記ガイドにスライド自在に固定される外筒と、前記外筒に内挿される鍼体とを有することを特徴とする請求項２に記載の鍼灸用具。
【請求項４】
身体の外形に沿った形状を有し、密着した状態で前記身体の一部分を覆う外殻を備え、前記外殻は、前記身体の突起した部分の頂部と一致する３個以上の目印が付され、前記目印が付された範囲は、透明、または半透明であり、前記目印を前記頂部と一致させて前記外殻を前記身体に密着させたとき、前記身体の経穴の位置に、鍼を通すための鍼穴が前記外殻に設けられ、前記外殻は、前記身体に固定するための固定手段が取り付けられることを特徴とする着装者自身が鍼を刺入できるスポーツ鍼灸用の鍼灸用具の部品である外殻の製造方法であって、
治療に用いる経穴を特定して、前記身体にマークを付すマーキング工程と、
前記マーキング工程で付された前記マークを包含する前記身体の一部を、前記マークとともに３次元座標データ化する座標生成工程と、
前記座標生成工程で得られたデータに基づき、前記身体の外形に沿った形状を有し、密着した状態で身体の一部分を覆う本体を作製して、前記目印を付す本体作成工程と、を備えることを特徴とする鍼灸用具の部品である外殻の製造方法。
【手続補正２】
【補正対象書類名】明細書
【補正対象項目名】００１１
【補正方法】変更
【補正の内容】
【００１１】
上記課題を解決するために、請求項１に係る発明は、着装者自身が刺入できるスポーツ鍼灸用の鍼灸用具であって、身体の外形に沿った形状を有し、密着した状態で身体の一部分を覆う外殻を備え、外殻は、身体の突起した部分の頂部と一致する３個以上の目印が付され、前記目印が付された範囲は、透明、または半透明であり、目印を頂部と一致させて外殻を身体に密着させたとき、身体の経穴の位置に、鍼を通すための鍼穴が外殻に設けられ、外殻は、身体に固定するための固定手段が取り付けられることを特徴とする。
【手続補正３】
【補正対象書類名】明細書
【補正対象項目名】００１２
【補正方法】変更
【補正の内容】
【００１２】
この構成によれば、外殻を個々人の身体に密着したとき、外殻に設けられた鍼穴の位置と身体の経穴の位置が一致するので、経穴の位置を容易に特定できる。
また、この構成によれば、身体の突起した部分の頂部と一致する３個以上の目印が外殻に設けられるので、３箇所以上の目印を身体の突起した部分の頂部と一致させることで、一義的に身体に密着する外殻の位置を特定できる。そのため、外殻を正確に、かつ容易に身体に密着できる。
また、この構成によれば、外殻は、身体に固定するための固定手段が取り付けられるので、外殻を確実に身体に固定できる。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００２３
【補正方法】変更
【補正の内容】
【００２３】
請求項４に係る発明は、身体の外形に沿った形状を有し、密着した状態で身体の一部分を覆う外殻を備え、外殻は、身体の突起した部分の頂部と一致する３個以上の目印が付され、前記目印が付された範囲は、透明、または半透明であり、目印を頂部と一致させて外殻を身体に密着させたとき、身体の経穴の位置に、鍼を通すための鍼穴が外殻に設けられ、外殻は、身体に固定するための固定手段が取り付けられることを特徴とするスポーツ鍼灸に用いて、着装者自身が刺入できる鍼灸用具の部品である外殻の製造方法であって、治療に用いる経穴を特定して、身体にマークを付すマーキング工程と、マーキング工程で付されたマークを包含する身体の一部を、マークとともに３次元座標データ化する座標生成工程と、座標生成工程で得られたデータに基づき、身体の外形に沿った形状を有し、密着した状態で身体の一部分を覆う本体を作製して、目印を付す本体作成工程と、を備えることを特徴とする。